(57)【要約】      （修正有）【課題】データ通信網の通話パスを介して当該ボタン電話装置の回線を利用している他のボタン電話装置が動作停止した場合でも、その通話パスを解放する。【解決手段】主装置１の制御部に動作監視手段を設け、ボタン電話装置１０Ｂの電話機３により通話パスを介して当該ボタン電話装置１０Ａの電話回線を使用した通話が行われている際、ボタン電話装置１０Ｂからデータ通信網５２を介して監視用通知を受信することによりボタン電話装置１０Ｂでの動作停止有無を判定し、この動作監視手段により、ボタン電話装置１０Ｂが動作停止したと判定された場合、ボタン電話装置１０Ｂとの間で使用していた通話パスを解放する。【選択図】        図１
2004260756.tif 000002
【特許請求の範囲】
【請求項１】
網からの回線を収容する主装置と、この主装置に収容された１つ以上の電話機とからなり、前記主装置で前記回線と前記電話機とを交換接続するボタン電話装置を複数有するボタン電話システムで用いられ、これらボタン電話装置の主装置間をデータ通信網を介して接続して音声データをやり取りすることにより通話パスを形成し、この通話パスを利用することにより当該ボタン電話装置の回線を使用した、当該ボタン電話システム内の他のボタン電話装置の電話機による通話を実現するボタン電話装置であって、
前記主装置は、
前記他のボタン電話装置の電話機により、前記通話パスを介して当該ボタン電話装置の回線を使用した通話が行われている際、前記他のボタン電話装置から前記データ通信網を介して監視用通知を受信することにより当該他のボタン電話装置での動作停止有無を判定する動作監視手段と、
この動作監視手段により、前記他のボタン電話装置が動作停止したと判定された場合、当該他のボタン電話装置との間で使用していた前記通話パスを解放する呼制御手段とを備えることを特徴とするボタン電話装置。
【請求項２】
請求項１に記載のボタン電話装置において、
前記動作監視手段は、前記他のボタン電話装置から停電による動作停止を予告する動作停止予告通知があった場合、当該他のボタン電話装置に対して動作停止予告通知の返送を要求する安否確認要求を繰り返し送信し、これら安否確認要求に応じた前記他のボタン電話装置からの動作停止予告通知が所定回数連続して未受信となった場合は、当該他のボタン電話装置が動作停止したと判定することを特徴とするボタン電話装置。
【請求項３】
請求項１に記載のボタン電話装置において、
前記動作監視手段は、停電後のバッテリによる動作開始に応じて前記他のボタン電話装置から所定期間ごとに送信される停電検出通知を、その所定期間内に受信できなかった場合は、当該他のボタン電話装置が動作停止したと判定することを特徴とするボタン電話装置。
【請求項４】
請求項１に記載のボタン電話装置において、
前記動作監視手段は、前記通話パスを利用した通話の開始に応じて、当該ボタン電話装置の正常動作状態を示す正常通知を所定間隔ごとに前記他のボタン電話装置へ送信し、この正常通知に応じて所定間隔ごとに返送される前記他のボタン電話装置からの正常通知が所定回数連続して未受信となった場合は、当該他のボタン電話装置が動作停止したと判定することを特徴とするボタン電話装置。
【請求項５】
網からの回線を収容する主装置と、この主装置に収容された１つ以上の電話機とからなり、前記主装置で前記回線と前記電話機とを交換接続するボタン電話装置を複数有し、これらボタン電話装置の主装置間をデータ通信網を介して接続して音声データをやり取りすることにより通話パスを形成し、この通話パスを利用することにより、当該ボタン電話装置の電話機による、当該ボタン電話システム内の他のボタン電話装置の回線を使用した通話を実現するボタン電話装置であって、
前記主装置は、
停電時に当該ボタン電話装置の動作電源を供給するバッテリと、
停電により当該ボタン電話装置が前記バッテリによるバッテリ動作となったことを監視する電源監視手段と、
当該ボタン電話装置の電話機により、前記通話パスを介して前記他のボタン電話装置の回線を使用した通話が行われている際、前記電源監視手段によりバッテリ動作の開始が確認された場合は、前記他のボタン電話装置での前記通話パスの解放要否を判定するための停電通知を、前記データ通信網を介して前記他のボタン電話装置へ送信する動作監視手段と、
この動作監視手段により、前記停電通知を送信した後、当該他のボタン電話装置との間で使用していた前記通話パスを解放する呼制御手段とを備えることを特徴とするボタン電話装置。
【請求項６】
請求項５に記載のボタン電話装置において、
前記主装置は、
通常状態では前記データ通信網を介してデータ通信を行い、低消費電力状態では前記データ通信動作を停止して消費電力を削減するデータ通信網接続手段をさらに備え、
前記呼制御手段は、前記通話パスの解放後、前記データ通信網接続手段を前記通常状態から前記低消費電力状態へ制御することを特徴とするボタン電話装置。
【発明の詳細な説明】
【０００１】
【発明の属する技術分野】
本発明は、ボタン電話装置に関し、特に複数のボタン電話装置がデータ通信網を介して接続されたボタン電話システムで用いられるボタン電話装置に関するものである。
【０００２】
【従来の技術】
網からの回線を収容する主装置と、この主装置に収容された１つ以上の電話機とからなり、主装置で回線と電話機とを交換接続するボタン電話装置では、従来より、主装置および電話機の動作電源を供給する商用電源の電圧低下を常時監視し、この電圧低下が所定時間以上連続して検出された場合に停電発生と判断するものとなっている（例えば、特許文献１など参照）。
【０００３】
一方、ＬＡＮやインターネットなどのパケット通信網で構成されるデータ通信網を介してこれらボタン電話装置間を接続し、そのデータ通信網を介して音声データをやり取りすることにより通話パスを形成し、その通話パスを利用して他のボタン電話装置の回線を用いた通話を実現するボタン電話システムがあり、このようなシステムで用いるボタン電話装置でも、前述した停電検出が別個に行われるものとなっていた。
【０００４】
なお、出願人は、本明細書に記載した先行技術文献情報で特定される先行技術文献以外には、本発明に関連する先行技術文献を出願時までに発見するには至らなかった。
【０００５】
【特許文献１】
特開平５−２６８６４３号公報
【０００６】
【発明が解決しようとする課題】
このようなボタン電話装置は、前述したボタン電話システムを構成する場合、それぞれ電源供給状況が異なる場所に設置される可能性があり、各ボタン電話装置が別個に停電状態あるは電源不安定状態となって、その動作を停止する場合がある。
したがって、データ通信網に形成した通話パスを介して当該ボタン電話装置の回線を他のボタン電話装置の電話機が通話に使用している際に、当該他のボタン電話装置で停電した場合、その通話パスが形成された状態のままとなり、ボタン電話装置での制御動作に悪影響が生じる原因となるという問題点があった。
【０００７】
一般に、電話網からのアナログ回線やＩＳＤＮ回線では、通話中、通話電流が常時流れあるいは音声データが常時やり取りされている。
したがって、動作停止したボタン電話装置で電話網からの回線、例えばアナログ電話回線やＩＳＤＮ回線を用いた通話が行われていた場合、そのボタン電話装置側での動作停止に応じてその回線が解放状態となり、その回線の解放による通話電流あるいは音声データの停止に基づき網側の交換機で解放を検出し、終話処理を行うことができる。
【０００８】
これに対して、ＬＡＮやインターネットなどのパケット通信網からなるデータ通信網を用いて、ボタン電話装置間で通話パスを形成した場合、これら通話パスは間欠的にやり取りされる音声パケットから構成される。
このため、当該ボタン電話装置の回線が、データ通信網の通話パスを介して接続された他方のボタン電話装置の電話機の通話に使用されている際に、他方のボタン電話装置の動作が停止した場合、当該ボタン電話装置では、他方のボタン電話装置から音声パケットが届かない原因が、他方のボタン電話装置の動作停止により音声パケットが届かないのか、単に音声入力がないので音声パケットが届かないのか判断できない。
【０００９】
したがって、従来のように、各ボタン電話装置で別個に停電検出を行うだけでは、他方のボタン電話装置の動作停止を把握できず、そのとき使用されている通話パスの解放要否を判定できない。これにより、データ通信網上に通話パスが形成された状態のままとなって、例えばボタン電話装置で利用できる通話パス数が不当に消費され、その制御動作に悪影響を生じる原因となる。
本発明はこのような課題を解決するためのものであり、データ通信網の通話パスを介して当該ボタン電話装置の回線を利用している他のボタン電話装置が動作停止した場合でも、その通話パスを解放できるボタン電話装置を提供することを目的としている。
【００１０】
【課題を解決するための手段】
このような目的を達成するために、本発明にかかるボタン電話装置は、網からの回線を収容する主装置と、この主装置に収容された１つ以上の電話機とからなり、主装置で回線と電話機とを交換接続するボタン電話装置を複数有するボタン電話システムで用いられ、これらボタン電話装置の主装置間をデータ通信網を介して接続して音声データをやり取りすることにより通話パスを形成し、この通話パスを利用することにより当該ボタン電話装置の回線を使用した、当該ボタン電話システム内の他のボタン電話装置の電話機による通話を実現するボタン電話装置であって、主装置に、他のボタン電話装置の電話機により、通話パスを介して当該ボタン電話装置の回線を使用した通話が行われている際、他のボタン電話装置からデータ通信網を介して監視用通知を受信することにより当該他のボタン電話装置での動作停止有無を判定する動作監視手段と、この動作監視手段により、他のボタン電話装置が動作停止したと判定された場合、当該他のボタン電話装置との間で使用していた通話パスを解放する呼制御手段とを備えるものである。
【００１１】
動作監視の具体例として、動作監視手段で、他のボタン電話装置から停電による動作停止を予告する動作停止予告通知があった場合、当該他のボタン電話装置に対して動作停止予告通知の返送を要求する安否確認要求を繰り返し送信し、これら安否確認要求に応じた他のボタン電話装置からの動作停止予告通知が所定回数連続して未受信となった場合は、当該他のボタン電話装置が動作停止したと判定するようにしてもよい。
【００１２】
また、動作監視の他の具体例として、動作監視手段で、停電後のバッテリによる動作開始に応じて他のボタン電話装置から所定期間ごとに送信される停電検出通知を、その所定期間内に受信できなかった場合は、当該他のボタン電話装置が動作停止したと判定するようにしてもよい。
【００１３】
さらに、動作監視の他の具体例として、動作監視手段で、通話パスを利用した通話の開始に応じて、当該ボタン電話装置の正常動作状態を示す正常通知を所定間隔ごとに他のボタン電話装置へ送信し、この正常通知に応じて所定間隔ごとに返送される他のボタン電話装置からの正常通知が所定回数連続して未受信となった場合は、当該他のボタン電話装置が動作停止したと判定するようにしてもよい。
【００１４】
また、本発明にかかる他のボタン電話装置は、網からの回線を収容する主装置と、この主装置に収容された１つ以上の電話機とからなり、主装置で回線と電話機とを交換接続するボタン電話装置を複数有し、これらボタン電話装置の主装置間をデータ通信網を介して接続して音声データをやり取りすることにより通話パスを形成し、この通話パスを利用することにより、当該ボタン電話装置の電話機による、当該ボタン電話システム内の他のボタン電話装置の回線を使用した通話を実現するボタン電話装置であって、主装置に、停電時に当該ボタン電話装置の動作電源を供給するバッテリと、停電により当該ボタン電話装置がバッテリによるバッテリ動作となったことを監視する電源監視手段と、当該ボタン電話装置の電話機により、通話パスを介して他のボタン電話装置の回線を使用した通話が行われている際、電源監視手段によりバッテリ動作の開始が確認された場合は、他のボタン電話装置での通話パスの解放要否を判定するための停電通知を、データ通信網を介して他のボタン電話装置へ送信する動作監視手段と、この動作監視手段により、停電通知を送信した後、当該他のボタン電話装置との間で使用していた通話パスを解放する呼制御手段とを備えるものである。
【００１５】
この際、主装置に、通常状態ではデータ通信網を介してデータ通信を行い、低消費電力状態ではデータ通信動作を停止して消費電力を削減するデータ通信網接続手段をさらに設け、呼制御手段で、通話パスの解放後、データ通信網接続手段を通常状態から低消費電力状態へ制御するようにしてもよい。
【００１６】
【発明の実施の形態】
次に、本発明の実施の形態について図面を参照して説明する。
まず、図１を参照して、本発明の第１の実施の形態にかかるボタン電話装置について説明する。図１は本発明の第１の実施の形態にかかるボタン電話装置が適用されるボタン電話システムの構成を示すブロック図である。
このボタン電話システムは、複数のボタン電話装置１０Ａ，１０Ｂ〜１０Ｎから構成されている。これらボタン電話装置１０Ａ〜１０Ｎは、それぞれ１つ以上のボタン電話機２またはＩＰ電話端末３などの電話機と、公衆電話網やＩＳＤＮ網などの電話網５１からの回線とを収容するとともに、ボタン電話機２やＩＰ電話端末３を収容しその回線にこれら電話機を交換接続する主装置１とを有している。
【００１７】
また、各ボタン電話装置１０Ａ〜１０Ｎの主装置１は、インターネットなどのＩＰネットワークからなるデータ通信網５２を介して相互に接続されており、このデータ通信網５２を介して制御データをやり取りすることにより呼制御を行うとともに、音声データをやり取りすることによりＶｏＩＰ（Ｖｏｉｃｅ  ｏｖｅｒ  ＩＰ）などの音声パケット技術を用いて通話を形成し、その通話を利用することにより他のボタン電話装置の回線を用いた通話を実現する。
【００１８】
図２にボタン電話装置の構成例を示す。主装置１は、電話回線５３を介して電話網５１に接続されているとともに、通信回線５４を介してデータ通信網５２に接続されている。また、内線伝送路２０を介してボタン電話機２を収容しているとともに、ＬＡＮなどのデータ通信路３０を介してＩＰ電話端末３を収容している。
主装置１には、電話網接続部１１、データ通信網接続部１２、ＩＰ電話端末接続部１３、ボタン電話機接続部１４、スイッチ１５、データ／音声変換部１６、制御部１７、記憶部１８、電源部１９および電源監視部１９Ｂが設けられている。
【００１９】
電話網接続部１１は、電話網５１からの電話回線５３を終端制御する回路部である。データ通信網接続部１２は、データ通信網５２からの通信回線５４を終端制御する回路部である。ＩＰ電話端末接続部１３は、データ通信路３０を介してＩＰ電話端末３を接続する回路部である。ボタン電話機接続部１４は、内線伝送路２０を介してボタン電話機２を接続する回路部である。スイッチ１５は、電話網接続部１１、ボタン電話機接続部１４、データ／音声変換部１６の各パスを相互に交換接続する回路部である。データ／音声変換部１６は、データ通信網接続部１２側の音声パケットとスイッチ１５側の音声データとを相互変換する回路部である。
電源部１９はボタン電話装置１０全体に動作電源を供給する回路部であり、停電時にはバッテリ１９Ａにより所定期間だけ電源供給を行う。電源監視部１９Ｂは、前述した電圧監視と同様にして電源部１９からの電源供給状態を監視する回路部である。
【００２０】
制御部１７は、ＣＰＵなどのマイクロプロセッサとその周辺回路からなるコンピュータ（ハードウェア資源）を有し、所定のプログラムを実行することにより主装置１の各部を制御する機能部である。記憶部１８は当該主装置に接続されている回線と、その回線への着信の際に呼出先となるボタン電話機２やＩＰ電話端末３、および当該着信の通知先となる他のボタン電話装置との対応関係を示す回線管理情報１８Ａのほか、制御部１７での制御に用いる各種データを記憶する回路部である。
制御部１７には、機能手段として、当該ボタン電話装置での呼制御および他のボタン電話装置との間の呼制御を行う呼制御手段１７Ａと、他のボタン電話装置の動作停止有無を判定する動作監視手段１７Ｂとが設けられている。これら機能手段は、上記ハードウェア資源とプログラムとを協働させることにより実現されている。
【００２１】
記録媒体１８Ｂは、ＣＤ−ＲＯＭやフレキシブルディスクなどの記録媒体であり、呼制御手段１７Ａおよび動作監視手段１７Ｂを含む制御部１７での各種処理を実現するプログラムが記録されている。
この記録媒体１８Ｂに記録されているプログラムは、ボタン電話装置の設置後の初期動作時やメンテナンス時など必要に応じて主装置１で読み込まれて記憶部１８へ格納され、制御部１７での各種処理を実現する。
なお、プログラムは、記録媒体１８Ｂからではなく、データ通信網５２や電話網５１を介して受信したものを用いてもよい。この場合、プログラムは、データ通信網接続部１２または電話網接続部１１を介して制御部１７で受信され記憶部１８へ格納される。
【００２２】
ボタン電話機２が電話網５１を介して通話を行う際、制御部１７により、スイッチ１５を介して電話網接続部１１とボタン電話機接続部１４とのパスが接続される。そして、電話網５１側からの音声信号（音声データ）は、電話網接続部１１で音声データへ変換され、スイッチ１５、ボタン電話機接続部１４および内線伝送路２０を介してボタン電話機２へ送信される。また、ボタン電話機２からの音声データは、内線伝送路２０、ボタン電話機接続部１４およびスイッチ１５を介して電話網接続部１１へ入力され、ここで音声信号（音声データ）へ変換されて電話網５１側へ送信される。
【００２３】
一方、ＩＰ電話端末３がデータ通信網５２を介して通話を行う際、制御部１７により、データ通信網接続部１２とＩＰ電話端末接続部１３とのパスが接続される。そして、データ通信網５２側からの音声パケットは、データ通信網接続部１２、ＩＰ電話端末接続部１３およびデータ通信路３０を介してＩＰ電話端末３へ送信される。また、ＩＰ電話端末３からの音声データは、データ通信路３０、ＩＰ電話端末接続部１３およびデータ通信網接続部１２を介してデータ通信網５２側へ送信される。
【００２４】
なお、ボタン電話機２がデータ通信網５２を介して通話を行う際、データ通信網５２側からの音声パケットは、データ通信網接続部１２を介してデータ／音声変換部１６に入力されて音声データへ変換される。そして、その音声データがスイッチ１５およびボタン電話機接続部１４を介してボタン電話機２へ送信される。
また、ボタン電話機２からの音声データは、ボタン電話機接続部１４およびスイッチ１５を介してデータ／音声変換部１６へ入力されて音声パケットへ変換される。そして、その音声パケットデータが、通信網接続部１２からデータ通信網５２側へ送信される。
【００２５】
これに対して、ＩＰ電話端末３が電話網５１を介して通話を行う際、電話網５１からの音声信号（音声データ）は、電話網接続部１１から音声データとして出力され、スイッチ１５を介してデータ／音声変換部１６へ入力されて音声パケットへ変換される。そして、その音声パケットがＩＰ電話端末接続部１３を介してＩＰ電話端末３へ送信される。
また、ＩＰ電話端末３からの音声パケットは、データ／音声変換部１６へ入力されて音声データへ変換される。そして、その音声データが、スイッチ１５を介して電話網接続部１１へ入力され、音声信号（音声データ）として電話網５１側へ送信される。
【００２６】
さらに、電話網５１の通話とデータ通信網５２の通話とを中継接続する際、電話網５１からの音声信号（音声データ）は、電話網接続部１１から音声データとして出力され、スイッチ１５を介してデータ／音声変換部１６へ入力されて音声パケットへ変換される。そして、その音声パケットがデータ通信網接続部１２からデータ通信網５２側へ送信される。
また、データ通信網５２側からの音声パケットは、データ通信網接続部１２を介してデータ／音声変換部１６に入力されて音声データへ変換される。そして、その音声データがスイッチ１５を介して電話網接続部１１へ入力され、音声信号（音声データ）として電話網５１側へ送信される。
【００２７】
図３はＩＰ電話端末の構成を示すブロック図である。
このＩＰ電話端末３には、データ通信部３１、音声処理部３２、端末制御部３３、表示部３４、操作部３５、および記憶部３６が設けられている。
データ通信部３１は、データ通信路３０を介して主装置１とパケット通信を行う回路部である。音声処理部３２は、データ通信部３１でやり取りする音声パケットと音声信号とを相互に変換したり、着信音などの各種信号音を出力する回路部である。端末制御部３３は、ＣＰＵなどのマイクロプロセッサとその周辺回路からなり、所定のプログラムを読み込んで各部を制御する。
【００２８】
表示部３４は、ＬＣＤやＬＥＤを用いて各種情報を表示する回路部である。操作部３５はダイヤルキーや各種機能キーを用いて利用者の操作を検出する回路部である。記憶部３６は端末制御部３３で実行するプログラムやその処理に必要な各種情報を記憶する回路部である。
また、ボタン電話機２については、データ通信部３１に代えて主装置１と内線伝送を行うデータ伝送部を有しているほかは、図３のＩＰ電話端末３と同様の構成をなしており、ここでの詳細な説明は省略する。
【００２９】
以上では、電話網５１を用いた通話を行うための構成として、電話網接続部１１、スイッチ１５、データ／音声変換部１６、ボタン電話機接続部１４、およびボタン電話機２を設けた場合を例として説明したが、電話網５１に代えてデータ通信網５２を用いた音声パケット通話を行う場合、上記の各構成は必須ではなく、これら構成を持たない構成であってもよい。また、ボタン電話機２でデータ通信網５２を用いた通話を行う際には、電話網接続部１１を持たない構成としてもよい。
また、本発明は、他のボタン電話装置の回線を利用する呼制御に関するものであり、各ボタン電話装置に１つ以上の電話機、すなわちボタン電話機２またはＩＰ電話端末３を備えていればよい。
【００３０】
次に、図４および図５を参照して、本実施の形態にかかるボタン電話装置の動作について説明する。図４は、ボタン電話装置の着信制御および動作監視制御を示すシーケンス図である。図５は着信通知後の通話パス接続状態を示す説明図である。
以下では、ＩＰ電話端末３Ａ，３Ｂをそれぞれ収容する２つのボタン電話装置１０Ａ，１０Ｂのうち、相手電話機６からボタン電話装置１０Ａの回線への着信に応じて、当該回線に対応付けられているボタン電話装置１０Ｂへ着信を通知し、その着信に対してボタン電話装置１０ＢのＩＰ電話端末３Ｂで応答する場合を例として説明する。
【００３１】
なお、電話網５１が公衆電話網の場合には、物理的な電話回線ごとに１つの通話パスが形成されるが、電話網５１がＩＳＤＮ網の場合、物理的な電話回線ごとに２つの通話パス（チャネル）が形成される。また、データ通信網５２でＩＰ通話を行う場合、その物理的な通信回線ごとにその通信帯域に応じて１つ以上の通話パス（チャネル）が仮想的に形成される。
本発明では、このような物理的な通話回線や通信回線によって実現されて通話に用いられる通話パスを総称して単に回線と呼ぶ。また、当該ボタン電話システムでは、各ボタン電話装置の回線をボタン電話機やＩＰ電話端末で共用するための管理上さらには運用上のイメージとして、当該ボタン電話システムの外部の電話機との通話に用いる回線を外線と呼んでいる。
【００３２】
各ボタン電話装置１０Ａ，１０Ｂでは、主装置１Ａ，１Ｂの電話網接続部１１で通話回線５３を終端制御して、回線を形成する。また各主装置１Ａ，１Ｂのデータ通信網接続部１２では、データ通信網５２からの通信回線５４を終端制御して１つ以上の回線を形成するとともに、相互に呼制御用の制御データをやり取りする。
また、主装置１Ａ，１Ｂの記憶部１８では、それぞれ回線管理情報１８Ａにおいて、予めボタン電話装置１０Ｂの外線としてボタン電話装置１０Ａの回線が対応付けられており、ボタン電話装置１０Ｂの各電話機でボタン電話装置１０Ａの回線からの発信、およびその回線への着信に対する応答が可能となっている。
【００３３】
このような設定状態において、相手電話機６での発呼に応じて電話網５１からボタン電話装置１０Ａの回線へ着信があった場合（ステップ３００）、ボタン電話装置１０Ａの主装置１Ａでは、制御部１７の呼制御手段１７Ａで、記憶部１８の回線管理情報１８Ａを参照し、その回線に対応付けられているボタン電話装置１０Ｂに対して、データ通信網接続部１２からデータ通信網５２を介して着信を通知する（ステップ３０１）。
また、同じく回線管理情報１８Ａを参照して、その回線に対応付けられている自装置の電話機、ここではＩＰ電話端末３Ａへ着信表示を指示する（ステップ３０２）。これにより、ＩＰ電話端末３Ａで着信音が出力される。
【００３４】
一方、ボタン電話装置１０Ｂの主装置１Ｂでは、主装置１Ａからの着信通知をデータ通信網接続部１２を介して制御部１７で受け取り、その呼制御手段１７Ａで、記憶部１８の回線管理情報１８Ａで設定されている自装置の電話機ここではＩＰ電話端末３Ｂへ着信表示を指示する（ステップ３０３）。これにより、ＩＰ電話端末３Ｂで着信音が出力される。
この呼び出しに応じて、ＩＰ電話端末３Ｂでオフフックなどの応答操作が行われた場合、ＩＰ電話端末３Ｂから主装置１Ｂへ応答操作が通知される（ステップ３０４）。
主装置１Ｂの呼制御手段１７Ａは、この応答操作の通知に応じて、データ通信網接続部１２からデータ通信網５２を介して主装置１Ａへ応答メッセージを送信する（ステップ３０５）。
【００３５】
主装置１Ａの呼制御手段１７Ａは、この応答メッセージに応じて送信相手電話機６からの着信に応答するとともに（ステップ３０６）、主装置１Ｂへ応答確認メッセージを送信し（ステップ３０７）、相手電話機６との通話パスと、データ通信網５２を介した主装置１Ｂとの通話パスとを接続する。
また、主装置１Ｂの呼制御手段１７Ａで、主装置１Ａからの応答確認メッセージに応じて、応答したＩＰ電話端末３Ｂの通話パスと主装置１Ａとの通話パスを接続する。
これにより、図５に示すように、相手電話機６と主装置１Ａとの間の通話パス３２０、データ通信網５２を介した主装置１Ａと主装置１Ｂとの間の通話パス３２１、および主装置１Ｂと応答電話機３Ｂとの間の通話パス３２２とが１つに接続され、相手電話機６と応答電話機３Ｂとの間で通話が開始される（ステップ３０８）。
【００３６】
このようにして、ボタン電話装置１０Ａの回線を用いた通話が、データ通信網５２の通話パスを介して接続されたボタン電話装置１０ＢのＩＰ電話端末３Ｂで開始された場合、ボタン電話装置１０Ａの主装置１Ａでは、制御部１７の動作監視手段１７Ｂにより、その通話中電話機が収容されているボタン電話装置１０Ｂの主装置１Ｂにある制御部１７の動作監視手段１７Ｂと、データ通信網５２を介して監視用通知をやり取りすることにより、ボタン電話装置１０Ｂの動作監視が開始される（ステップ３１０）。
その後、その通話中にボタン電話装置１０Ｂで停電が生じ、その動作が停止した場合（ステップ３１１）、主装置１Ａの動作監視手段１７Ｂでは、主装置１Ｂからの監視用通知が中断されることから、ボタン電話装置１０Ｂが動作停止したと判定する（ステップ３１２）。
【００３７】
主装置１Ａの呼制御手段１７Ａでは、この動作監視手段１７Ｂでの動作停止の判定に応じて、そのボタン電話装置１０Ｂとの間で用いていたデータ通信網５２上の通話パスを解放し（ステップ３１３）、そのボタン電話装置１０Ｂが使用していた自装置の回線１を解放して終話する（ステップ３１４）。
【００３８】
このように、本実施の形態では、主装置の動作監視手段で、他のボタン電話装置の電話機により、通話パスを介して当該ボタン電話装置の回線を使用した通話が行われている際、他のボタン電話装置からデータ通信網を介して監視用通知を受信することにより当該他のボタン電話装置での動作停止有無を判定し、この動作監視手段により、他のボタン電話装置が動作停止したと判定された場合、呼制御手段で、当該他のボタン電話装置との間で使用していた通話パスを解放するようにしたので、データ通信網の通話パスを介して当該ボタン電話装置の回線を利用している他のボタン電話装置が動作停止した場合でも、その通話パスを解放できる。
【００３９】
次に、図６および図７を参照して、本発明の第２の実施の形態にかかるボタン電話装置について説明する。図６は第２の実施の形態にかかる動作監視処理を示すフローチャートである。図７は第２の実施の形態にかかる動作監視処理を示すシーケンス図である。
本実施の形態では、主装置１Ａの動作監視手段１７Ｂ（監視側）と主装置１Ｂの動作監視手段１７Ｂ（被監視側）での具体的な動作監視処理として、監視側から被監視側に対して動作停止予告通知を要求する安否確認要求を繰り返し送信し、これら安否確認要求に応じた動作停止予告通知が所定回数連続して未受信となった場合に、被監視側のボタン電話装置が動作停止したと判定するようにしたものである。
【００４０】
まず、被監視側となる主装置１Ｂの動作監視手段１７Ｂでは、図６（ａ）に示すように、電源監視部１９Ｂにより電源部１９の電源電圧を常時監視しておき、その電圧低下による電圧不安定が検出された場合には（ステップ１００：ＹＥＳ）、その後に動作停止が予想されることから、その動作停止を予告するための動作停止予告通知を、データ通信網接続部１２からデータ通信網５２を介して監視側へ送信し（ステップ１０１）、動作停止予告通知を送信する間隔を管理するための送信タイマを起動する（ステップ１０２）。
そして、この送信タイマのタイムアップまで、監視側からの安否確認要求がデータ通信網接続部１２を介して受信されたかどうかを判定する（ステップ１０３）。
【００４１】
ここで、送信タイマのタイムアップまでに安否確認要求が受信された場合は（ステップ１０３：ＹＥＳ）、ステップ１０１へ戻って新たな動作停止予告通知の送信を繰り返す。
また、送信タイマのタイムアップまでに安否確認要求が受信されなかった場合は（ステップ１０４：ＹＥＳ）、ステップ１００へ戻って再度電圧監視を実施する。
【００４２】
一方、監視側となる主装置１Ａの動作監視手段１７Ｂでは、図６（ｂ）に示すように、被監視側からの動作停止予告通知に応じて（ステップ１１０：ＹＥＳ）、動作状態の通知を要求する安否確認要求を、データ通信網接続部１２からデータ通信網５２を介して被監視側へ送信し（ステップ１１１）、次の動作停止予告通知を監視するための監視タイマを起動する（ステップ１１２）。
そして、監視タイマのタイムアップまで、被監視側からの動作停止予告通知がデータ通信網接続部１２を介して受信されたかどうかを判定する（ステップ１１３）。
【００４３】
ここで、監視タイマのタイムアップまでに、動作停止予告通知が受信された場合は（ステップ１１３：ＹＥＳ）、その動作停止予告通知が各安否確認要求ごとに所定回数ここでは３回連続して受信されたかどうか判断し（ステップ１１４）、３回連続して受信された場合は（ステップ１１４：ＹＥＳ）、被監視側が正常状態に戻った可能性があることから、ステップ１１０へ戻って新たな動作停止予告通知の待ち受けへ移行する。
また、３回連続して受信されていない場合は（ステップ１１４：ＮＯ）、ステップ１１１へ戻って、安否確認要求の再送信を行う。
【００４４】
一方、監視タイマのタイムアップまでに、動作停止予告通知が受信されなかった場合は（ステップ１１５：ＹＥＳ）、その動作停止予告通知が各安否確認要求ごとに所定回数ここでは３回連続して未受信となったかどうか判断し（ステップ１１６）、３回連続して未受信となっていない場合は（ステップ１１６：ＮＯ）、ステップ１１１へ戻る。
また、３回連続して未受信となった場合は（ステップ１１６：ＹＥＳ）、被監視側が動作停止したと判定し（ステップ１１７）、一連の動作監視処理を終了する。
【００４５】
本実施の形態による実際の監視動作例としては、図７に示すように、監視側の主装置１Ｂで、電圧不安定が検出された場合（ステップ２００）、監視側の主装置１Ａへ動作停止予告通知を送信するとともに（ステップ２０１）、送信タイマを起動する（ステップ２０２）。
一方、監視側では、この動作停止予告通知に応じて、被監視側へ安否確認要求を送信し（ステップ２０３）、監視タイマを起動する（ステップ２０４）。
被監視側では、この安否確認要求に応じて、再度、監視側へ動作停止予告通知を送信し（ステップ２０５）、送信タイマを再起動する（ステップ２０６）。
そして、監視側では、この動作停止予告通知に応じて、被監視側へ安否確認要求を送信し（ステップ２０７）、監視タイマを起動する（ステップ２０８）。
【００４６】
ここで、ステップ２０５の後、被監視側が停電状態となり、動作が停止した場合（ステップ２０９）、ステップ２０７の安否確認要求に対する動作停止予告通知が監視側へ送信されなくなる。
したがって、監視側では、監視タイマがタイムアップし（ステップ２１０）、この際、動作停止予告通知の未受信が１回目であることから、再度、安否確認要求を被監視側へ送信し（ステップ２１１）、監視タイマを再起動する（ステップ２１２３）。
【００４７】
そして、この安否確認要求に対して被監視側から動作停止予告通知が送信されないことから、監視側では、監視タイマがタイムアップし（ステップ２１３）、この際、動作停止予告通知の未受信が連続２回目であることから、再度、安否確認要求を被監視側へ送信し（ステップ２１４）、監視タイマを再起動する（ステップ２１５）。
さらに、この安否確認要求に対して被監視側から動作停止予告通知が送信されないことから、監視側では、監視タイマがタイムアップし（ステップ２１６）、この際、動作停止予告通知の未受信が連続３回目であることから、被監視側が動作停止したと判定し、被監視側との間の通話パスを解放する（ステップ２１７）。
【００４８】
このように、本実施の形態では、被監視側からの動作停止予告通知に応じて、監視側から被監視側に対して動作停止予告通知の返送を要求する安否確認要求を繰り返し送信し、これら安否確認要求に応じた動作停止予告通知が所定回数連続して未受信となった場合に、被監視側のボタン電話装置が動作停止したと判定するようにしたので、正常動作時における監視側の処理負担を軽減できるとともに、通話中、常時、監視する必要がなく、比較的簡素な手順で被監視側の動作停止を確実に検出できる。
【００４９】
また、安否確認要求を送信することにより被監視側へ動作停止予告通知を要求するようにしたので、この安否確認要求の送信を停止することにより、被監視側での動作監視処理を制御できる。
これにより、例えば動作停止予告通知を指定回数連続して受信した場合に安否確認要求の送信を停止して、被監視側で再度電圧監視を行わせることができ、被監視側での電源供給状況の変化にも対応できる。
【００５０】
次に、図８および図９を参照して、本発明の第３の実施の形態にかかるボタン電話装置について説明する。図８は第３の実施の形態にかかる動作監視処理を示すフローチャートである。図９は第３の実施の形態にかかる動作監視処理を示すシーケンス図である。
本実施の形態では、主装置１Ａの動作監視手段１７Ｂ（監視側）と主装置１Ｂの動作監視手段１７Ｂ（被監視側）での具体的な動作監視処理として、被監視側での停電後のバッテリによる動作開始に応じて、被監視側から所定期間ごとに送信される停電検出通知を監視側でその所定期間内に受信できなかった場合は、被監視側のボタン電話装置が動作停止したと判定するようにしたものである。
【００５１】
まず、被監視側となる主装置１Ｂの動作監視手段１７Ｂでは、図８（ａ）に示すように、電源監視部１９Ｂにより電源部１９の電源電圧を常時監視しておき、商用電源が停電してバッテリ１９Ａからの電源供給に切り替えられたことが検出された場合には（ステップ１２０：ＹＥＳ）、その停電状態を通知するための停電通知を、データ通信網接続部１２からデータ通信網５２を介して監視側へ送信し（ステップ１２１）、停電通知を送信する間隔を管理するための送信タイマを起動する（ステップ１２２）。
そして、この送信タイマのタイムアップ後（ステップ１２３：ＹＥＳ）、ステップ１２１へ戻って停電通知の送信を繰り返す。
【００５２】
一方、監視側となる主装置１Ａの動作監視手段１７Ｂでは、図８（ｂ）に示すように、被監視側からの停電通知がデータ通信網接続部１２を介して受信された場合は（ステップ１３０）、次の停電通知を監視するための監視タイマを起動し（ステップ１３１）、この監視タイマのタイムアップまで、被監視側からの次の停電通知が受信されたかどうかを判定する（ステップ１３２）。
【００５３】
ここで、監視タイマのタイムアップまでに、次の停電通知が受信された場合は（ステップ１３２：ＹＥＳ）、ステップ１３１へ戻って、次の停電通知の監視を繰り返し行う。
また、監視タイマのタイムアップまでに、次の停電通知が受信されなかった場合は（ステップ１３３：ＹＥＳ）、被監視側が動作停止したと判定し（ステップ１３４）、一連の動作監視処理を終了する。
【００５４】
本実施の形態による実際の監視動作例としては、図９に示すように、監視側の主装置１Ｂで停電が検出された場合（ステップ２２０）、被監視側では、監視側の主装置１Ａへ停電通知を送信するとともに（ステップ２２１）、送信タイマを起動する（ステップ２２２）。
一方、監視側では、この停電通知に応じて監視タイマを起動する（ステップ２２３）。
被監視側では、送信タイマのタイムアップに応じて（ステップ２２４）、再度、監視側へ停電通知を送信し（ステップ２２５）、送信タイマを再起動する（ステップ２２６）。
【００５５】
監視側では、この停電通知に応じて監視タイマを再起動する（ステップ２２７）。
その後、被監視側のバッテリが消費されて動作が停止した場合（ステップ２２８）、監視側に対して停電通知が送信されなくなる。
したがって、監視側では、監視タイマがタイムアップして（ステップ２２９）、被監視側の動作停止と判定され、被監視側との間の通話パスが解放される（ステップ２３０）。
【００５６】
このように、本実施の形態では、被監視側での停電後のバッテリによる動作開始に応じて、被監視側から所定期間ごとに送信される停電通知を監視側でその所定期間内に受信できなかった場合は、被監視側のボタン電話装置が動作停止したと判定するようにしたようにしたので、通話中、常時、監視する必要がなく、極めて簡素な手順で被監視側の動作停止を確実に検出できる。
また、被監視側からのバッテリ動作開始に応じた停電通知により、監視側で実質的な動作監視処理を開始するようにしたので、正常動作時における監視側の処理負担をなくすことができる。
【００５７】
なお、本実施の形態では、被監視側でバッテリを消費するまで監視側に対して停電通知を所定期間ごとに送信し続けるようにしているが、例えば、被監視側において、図８（ａ）のステップ１２０により停電検出されて、ステップ１２１で停電通知を送信した時点で、監視側との間の通話パスを解放するようにしてもよい。
また、監視側において、図８（ｂ）のステップ１３０において、被監視側からの停電通知の有無に基づいて当該通話パスの解放要否を判定し、その停電通知があった場合には、被監視側の動作が停止する可能性が高いことから当該通話パスの解放が必要であると判定し、被監視側との間の通話パスを解放するようにしてもよい。
【００５８】
これにより、通話パス解放後、被監視側では、動作監視手段１７Ｂで、データ通信網接続部１２を低消費動作状態（スリープ状態）へ制御してその動作を停止させ、電話網５１を用いた動作に限定することができる。
一般に、通信網接続部１２を構成する回路部は、データ通信のため極めて高速に動作することからその消費電力も大きい。これら回路部には、データ通信網とデータ通信を行う通常状態と、データ通信動作を停止して消費電力を削減する低消費電力状態の２つの動作状態を持つものがある。
【００５９】
したがって、データ通信網接続部１２として上記のような回路部を用い、データ通信網接続部１２を低消費電力状態に制御してデータ通信動作を停止させることにより、データ通信網接続部１２で削減された消費電力分だけバッテリ消費を抑制でき、バッテリ駆動時にデータ通信網接続部１２を動作させる場合と比較して、その動作時間を大幅に延長できる。
【００６０】
次に、図１０および図１１を参照して、本発明の第４の実施の形態にかかるボタン電話装置について説明する。図１０は第４の実施の形態にかかる動作監視処理を示すフローチャートである。図１１は第４の実施の形態にかかる動作監視処理を示すシーケンス図である。
本実施の形態では、主装置１Ａの動作監視手段１７Ｂ（監視側）と主装置１Ｂの動作監視手段１７Ｂ（被監視側）での具体的な動作監視処理として、通話パスを利用した通話の開始に応じて、当該ボタン電話装置の正常動作状態を示す正常通知を所定間隔ごとに他のボタン電話装置へ送信し、この正常通知に応じて所定間隔ごとに返送される他のボタン電話装置からの正常通知が所定回数連続して未受信となった場合は、当該他のボタン電話装置が動作停止したと判定するようにしたものである。
【００６１】
まず、監視側となる主装置１Ａの動作監視手段１７Ｂでは、図１０（ａ）に示すように、被監視側となる主装置１Ｂの電話機による、自装置の回線を用いた通話の開始に応じて、自装置が正常動作中であることを通知するための正常通知を、データ通信網接続部１２からデータ通信網５２を介して被監視側へ送信し（ステップ１４０）、正常通知を送信する間隔を管理するための送信タイマを起動する（ステップ１４１）。
そして、この送信タイマのタイムアップまで、被監視側からの正常通知がデータ通信網接続部１２を介して受信されたかどうかを判定する（ステップ１４２）。
【００６２】
ここで、この送信タイマのタイムアップまでに、被監視側からの正常通知が受信された場合は（ステップ１４２：ＹＥＳ）、その送信タイマがタイムアップするまで待機し（ステップ１４３）、タイムアップ後にステップ１４１へ戻って次の正常通知の送信へ移行する。
また、送信タイマのタイムアップまでに、被監視側からの正常通知が受信されなかった場合は（ステップ１４４：ＹＥＳ）、被監視側からの正常通知が監視側から送信した正常通知ごとに所定回数ここでは３回連続して未受信となったかどうか判断する（ステップ１４５）。
【００６３】
そして、３回連続して未受信となっていない場合は（ステップ１４５：ＮＯ）、ステップ１１１へ戻る。
また、３回連続して未受信となった場合は（ステップ１４５：ＹＥＳ）、被監視側が動作停止したと判定し（ステップ１４６）、一連の動作監視処理を終了する。
【００６４】
一方、被監視側となる主装置１Ｂの動作監視手段１７Ｂでは、図１０（ｂ）に示すように、監視側からの正常通知がデータ通信網接続部１２を介して受信された場合は（ステップ１５０）、自装置が正常動作中であることを通知するための正常通知を、データ通信網接続部１２からデータ通信網５２を介して監視側へ送信し（ステップ１５１）、正常通知を送信する間隔を管理するための送信タイマを起動する（ステップ１５２）。
これ以降、ステップ１５１〜１５７において、図１０（ａ）に示した監視側のステップ１４０〜１４６と同様の動作監視処理を行い、監視側からの正常通知が３回連続して未受信となった場合は（ステップ１５６：ＹＥＳ）、監視側が動作停止したと判定し（ステップ１５７）、一連の動作監視処理を終了する。
う。
【００６５】
本実施の形態による実際の監視動作例としては、図１１に示すように、被監視側となる主装置１Ｂの電話機により、監視側となる主装置１Ａの回線を用いた通話が開始された場合、監視側では、被監視側へ正常通知を送信するとともに（ステップ２４０）、送信タイマを起動する（ステップ２４１）。
一方、被監視側では、監視側からの正常通知に応じて、監視側へ正常通知を送信するとともに（ステップ２４２）、送信タイマを起動する（ステップ２４３）。
監視側では、被監視側からの正常通知を受信し、送信タイマのタイムアップに応じて（ステップ２２４）、被監視側へ正常通知を送信するとともに（ステップ２４０）、送信タイマを再起動する（ステップ２４１）。
【００６６】
被監視側では、監視側からの正常通知を受信し、送信タイマのタイムアップに応じて（ステップ２４７）、監視側へ正常通知を送信するとともに（ステップ２４８）、送信タイマを起動する（ステップ２４９）。
監視側では、被監視側からの正常通知を受信し、送信タイマのタイムアップに応じて（ステップ２５０）、被監視側へ正常通知を送信するとともに（ステップ２５１）、送信タイマを再起動する（ステップ２５２）。
【００６７】
ここで、ステップ２４９の後、被監視側が停電状態となり、動作が停止した場合（ステップ２５３）、ステップ２５１の正常通知に対する正常通知が監視側へ送信されなくなる。
したがって、監視側では、送信タイマがタイムアップし（ステップ２５４）、この際、動作停止予告通知の未受信が１回目であることから、再度、正常通知を被監視側へ送信し（ステップ２５５）、監視タイマを再起動する（ステップ２５６）。
【００６８】
そして、この正常通知に対して被監視側から正常通知が送信されないことから、監視側では、送信タイマがタイムアップし（ステップ２５７）、この際、正常通知の未受信が連続２回目であることから、再度、正常通知を被監視側へ送信し（ステップ２５８）、送信タイマを再起動する（ステップ２５９）。
さらに、この正常通知に対して被監視側から正常通知が送信されないことから、監視側では、送信タイマがタイムアップし（ステップ２６０）、この際、正常通知の未受信が連続３回目であることから、被監視側が動作停止したと判定し、被監視側との間の通話パスを解放する（ステップ２６１）。
【００６９】
このように、本実施の形態では、通話パスを利用した通話の開始に応じて、当該ボタン電話装置の正常動作状態を示す正常通知を所定間隔ごとに他のボタン電話装置へ送信し、この正常通知に応じて所定間隔ごとに返送される他のボタン電話装置からの正常通知が所定回数連続して未受信となった場合は、当該他のボタン電話装置が動作停止したと判定するようにしたようにしたので、被監視側でバッテリ１９Ａや電源監視部１９Ｂを設ける必要がなくなり、装置のハードウェアを大幅に削減できる。また、監視側および被監視側でほぼ同様の手順で動作停止を確実に検出でき、監視側および被監視側で行う動作監視処理のためのプログラムを共用できる。
【００７０】
なお、前述した第２〜第４の実施の形態では、監視側および被監視側でそれぞれの動作監視手段１７Ｂでの処理が異なっている。各ボタン電話装置は、電話機とその電話機が通話に用いる回線との関係に応じて、監視側および被監視側のいずれかの立場となって動作する。
したがって、各ボタン電話装置の動作監視手段１７Ｂでは、監視側および被監視側の両方の処理を実行する機能を予め有しており、呼制御手段１７Ａでの制御状態に応じて監視側および被監視側のいずれか一方の処理を実行することになる。
【００７１】
なお、以上では、各ボタン電話装置に収容されている電話網５１のＩＳＤＮ電話回線５３で形成される通話路（チャネル）を回線として、各ボタン電話装置で共用する場合を例として説明したが、この回線についてはＩＳＤＮ電話回線５３で形成される通話路に限定されるものではない。
例えば、アナログ電話回線で形成される通話路のほか、データ通信網５２の通信回線５４でＶｏＩＰなどの音声パケット通信技術を用いて仮想的に形成される通話路についても同様である。
【００７２】
【発明の効果】
以上説明したように、本発明は、主装置の動作監視手段で、他のボタン電話装置の電話機により、通話パスを介して当該ボタン電話装置の回線を使用した通話が行われている際、他のボタン電話装置からのデータ通信網を介して監視用通知を受信することにより当該他のボタン電話装置での動作停止有無を判定し、この動作監視手段により、他のボタン電話装置が動作停止したと判定された場合、呼制御手段で、当該他のボタン電話装置との間で使用していた通話パスを解放するようにしたので、データ通信網の通話パスを介して当該ボタン電話装置の回線を利用している他のボタン電話装置が動作停止した場合でも、その通話パスを解放できる。
【図面の簡単な説明】
【図１】本発明の第１の実施の形態にかかるボタン電話装置が適用されるボタン電話システムの構成を示すブロック図である。
【図２】本発明の第１の実施の形態にボタン電話装置の構成を示すブロック図である。
【図３】ＩＰ電話端末の構成を示すブロック図である。
【図４】ボタン電話装置の着信制御および動作監視制御を示すシーケンス図である。
【図５】着信通知後の通話パス接続状態を示す説明図である。
【図６】本発明の第２の実施の形態にかかるボタン電話装置の動作監視処理を示すフローチャートである。
【図７】本発明の第２の実施の形態にかかるボタン電話装置の動作監視処理を示すシーケンス図である。
【図８】本発明の第３の実施の形態にかかるボタン電話装置の動作監視処理を示すフローチャートである。
【図９】本発明の第３の実施の形態にかかるボタン電話装置の動作監視処理を示すシーケンス図である。
【図１０】本発明の第４の実施の形態にかかるボタン電話装置の動作監視処理を示すフローチャートである。
【図１１】本発明の第４の実施の形態にかかるボタン電話装置の動作監視処理を示すシーケンス図である。
【符号の説明】
１０Ａ，１０Ｂ，〜，１０Ｎ…ボタン電話装置、１，１Ａ，１Ｂ…主装置、１１…電話網接続部、１２…データ通信網接続部、１３…ＩＰ電話端末接続部、１４…ボタン電話機接続部、１５…スイッチ、１６…データ／音声変換部、１７…制御部、１７Ａ…呼制御手段、１７Ｂ…動作監視手段、１８…記憶部、１８Ａ…回線管理情報、１８Ｂ…記録媒体（プログラム）、１９…電源部、１９Ａ…バッテリ、１９Ｂ…電源監視部、２…ボタン電話機、２０…内線伝送路、３０…データ通信路、３…ＩＰ電話端末、３１…データ通信部、３２…音声処理部、３３…端末制御部、３４…表示部、３５…操作部、３６…記憶部、５１…電話網、５２…データ通信網、５３…電話回線、５４…通信回線、６…相手電話機。
【図１】
2004260756.tif 000003
【図２】
2004260756.tif 000004
【図３】
2004260756.tif 000005
【図４】
2004260756.tif 000006
【図５】
2004260756.tif 000007
【図６】
2004260756.tif 000008
【図７】
2004260756.tif 000009
【図８】
2004260756.tif 000010
【図９】
2004260756.tif 000011
【図１０】
2004260756.tif 000012
【図１１】
2004260756.tif 000013